(57)【要約】【課題】簡易な構成にて、静電による画像障害を解消させることができるカメラ機能付き機器を提供する。【解決手段】携帯電話機は、撮像素子２３ａで捉えた撮像画面に基づく画像データを垂直同期信号および水平同期信号とともに出力するカメラモジュール２３と、前記画像データをメモリ１０３に書き込むための信号処理回路１０１およびメモリ制御回路１０２と、前記メモリ制御回路１０２によって一つの撮像画面に対するデータ書込みが完了したタイミングと前記垂直同期信号の状態とに基づいて、前記信号処理回路１０１およびメモリ制御回路１０２による前記データ書込みをリセットする静電検出回路１０６とを備えている。【選択図】図２
2010045460.tif 000002
【特許請求の範囲】
【請求項１】
撮像素子で捉えた撮像画面に基づく画像データを垂直同期信号および水平同期信号とともに出力するカメラ部と、
前記画像データをメモリに書き込むデータ書込部と、
前記データ書込部によって一つの撮像画面に対するデータ書込みが完了したタイミングと前記垂直同期信号の状態とに基づいて、前記データ書込部による前記データ書込みをリセットするリセット部と、
を備えたことを特徴とするカメラ機能付き機器。
【請求項２】
請求項１において、
前記リセット部は、前記データ書込みが完了したときに前記垂直同期信号がアクティブな場合に、前記データ書込部による前記データ書込みをリセットする、
ことを特徴とするカメラ機能付き機器。
【請求項３】
請求項１または２において、
前記リセット部は、前記画像データに対するズーム処理が行われた場合、前記データ書込みが完了してから前記ズーム処理に応じたディレイ時間が経過したときの前記垂直同期信号の状態に基づいて、前記データ書込部による前記データ書込みをリセットする、
ことを特徴とするカメラ機能付き機器。
【請求項４】
請求項１ないし３の何れか一項において、
前記データ書込部は、
前記垂直同期信号および水平同期信号がアクティブな期間に出力された前記画像データを取り込む信号処理部と、
前記信号処理部から出力された前記画像データを前記メモリに書き込むメモリ制御部と、
を含むことを特徴とするカメラ機能付き機器。
【発明の詳細な説明】
【技術分野】
【０００１】
本発明は、カメラ機能付き携帯電話機やカメラ機能付きＰＤＡ（Personal Digital Assistant）等のカメラ機能付き機器に関する。
【背景技術】
【０００２】
従来、携帯電話機やＰＤＡ等にカメラ機能が付加された、いわゆるカメラ機能付き携帯電話機やカメラ機能付きＰＤＡが知られている。たとえば、カメラ付付き携帯電話機の一例が、特許文献１に記載されている。
【０００３】
カメラ機能付き携帯電話機等では、カメラ機能を起動させると、液晶表示器等の表示画面上にプレビュー画面としてカメラが捉えている画像（動画像）が表示される。この状態で、撮影ボタンを押せば、静止画あるいは動画が撮影される。
【０００４】
カメラ機能付き携帯電話機等に適用されるカメラ機能に係る回路構成の一例を図７に示す。
【０００５】
カメラモジュール２０１は、撮像素子２０１ａ（ＣＣＤイメージセンサ、ＣＭＯＳセンサ等）とタイミングジェネレータ２０１ｂとを有している。撮像素子２０１ａが捉えた撮像画面に基づく画像データは、タイミングジェネレータ２０１ｂで生成された同期クロック、垂直同期信号および水平同期信号とともに、カメラモジュール２０１から出力される。
【０００６】
図８（ａ）は、水平同期信号、同期クロック、画像データの出力タイミングを示す図であり、同図（ｂ）は、垂直同期信号、水平同期信号の出力タイミングを示す図である。
【０００７】
同図（ａ）に示すように、画面を構成する水平方向の各画素の画像データは、水平同期信号がアクティブな期間において、同期クロックに同期して順次出力される。そして、同図（ｂ）に示すように、垂直同期信号がアクティブな期間に、垂直方向のライン数に相当する回数の水平同期信号が出力されることにより、垂直同期信号がアクティブな期間内に、撮像素子２０１ａが捉えた一つの撮像画面に基づく画像データが出力される。
【０００８】
図７に戻り、カメラモジュール２０１から出力された、同期クロック、垂直同期信号、水平同期信号および画像データは、信号処理回路２０２に入力される。
【０００９】
信号処理回路２０２は、垂直同期信号と水平同期信号の双方がアクティブな期間の画像データ（有効データ）を取り込み、これをメモリ制御回路２０３に出力する。こうして、垂直同期信号がアクティブになっている期間に、一つの撮像画面に基づく画像データが、メモリ制御回路２０３に入力される。
【００１０】
さらに、信号処理回路２０２は、水平カウンタ２０２ａおよび垂直カウンタ２０２ｂを備えている。水平カウンタ２０３ａは、水平同期信号がアクティブになると、同期クロックのカウントを開始し、水平方向の全画素の数だけカウントするとリセットされ、次に水平同期信号がアクティブになると再びカウントを開始する。垂直カウンタ２０３ｂは、垂直同期信号がアクティブになるとカウントを開始し、水平カウンタ２０３ａが１ライン分のカウントを完了する度にカウントを行う。そして、垂直方向の全ライン数のカウントが完了するとリセットされ、次に垂直同期信号がアクティブになると再びカウントを開始する。信号処理回路２０２は、水平カウンタ２０２ａと垂直カウンタ２０２ｂのカウント値を検出することにより、現在、どの位置の画素の画像データを取り込んでいるのかを把握する。
【００１１】
なお、水平カウンタ２０２ａは、水平同期信号が変化する（例えば、立ち下がる）とリセットされる構成とされる場合もあり、垂直カウンタ２０２ｂは、垂直同期信号が変化する（例えば、立ち下がる）とリセットされる構成とされる場合もある。
【００１２】
メモリ制御回路２０３は、信号処理回路２０２から画像データを受け取ると、これをメモリ２０４の書込エリアに書き込む。メモリ制御回路２０３は、アドレスカウンタ２０３ａを備えており、このアドレスカウンタ２０３ａによって、メモリ２０４上の書き込みアドレスを特定する。そして、アドレスカウンタ２０３ａに基づき一つの撮像画面に対するデータ書込みが完了したことを検出すると、その撮像画面に関するメモリ２０４への書込みを終了し、メモリ制御回路２０５に対して書込み完了信号を出力する。
【００１３】
メモリ制御回路２０５は、書込み完了信号を受け取ると、メモリ２０５の書込エリアから画像データを読み出して、液晶表示回路２０６へ出力する。液晶表示回路２０６は、受け取った画像データに対して液晶表示器２０７で表示するための信号処理を行い、その画像データに対応する画像を液晶表示器２０７に表示させる。
【特許文献１】特開２００３−１４３２６１号公報
【発明の開示】
【発明が解決しようとする課題】
【００１４】
ところで、上記のような構成では、たとえば、カメラモジュール２０１で撮像された画像を液晶表示器２０７に表示させている途中に静電が発生すると、メモリ２０４に対する画像データの書き込みを正常に行えなくなり、結果、液晶表示器２０７に表示される画像に異常が生じる惧れがある。たとえば、静電によるノイズが重畳されて垂直同期信号に大きな乱れが生じると、信号処理回路２０２の構成によっては、次の垂直同期信号が到来するまで画像データの出力が停止される場合がある。ところが、その一方で、静電発生後も、メモリ制御回路２０３内のアドレスカウンタ２０３ａがリセットされないような場合には、次の垂直同期信号の到来後に信号処理回路２０２から出力された画像データが、静電発生時のアドレスに続いて、メモリ２０４に書き込まれることとなる。こうなると、信号処理回路２０２からの画像データの出力タイミングと、メモリ制御回路２０３における画像データの書込みタイミングとの間で同期が取れなくなり、結果、液晶表示器２０７には、たとえば、ある画面の一部と次の画面の一部が重なり合ったような画像が表示されてしまう。
【００１５】
そこで、このような静電の影響によって発生する画像障害を解消するため、たとえば、図９に示すような回路構成を取ることが考えられる。
【００１６】
この構成では、図７の構成に加え、出力信号カウンタ２０８とカウンタ比較器２０９が備えられている。出力信号カウンタ２０８には、カメラモジュール２０１から同期クロック、垂直同期信号および水平同期信号が入力される。出力信号カウンタ２０８は、水平カウンタ２０８ａおよび垂直カウンタ２０８ｂを備えている。これら水平カウンタ２０８ａおよび垂直カウンタ２０８ｂの機能は、信号処理回路２０２の水平カウンタ２０２ａおよび垂直カウンタ２０２ｂと同様である。ただし、出力信号カウンタ２０８には強固な静電対策が施されており、これにより、出力信号カウンタ２０８は、信号処理回路２０２に比べて、静電に対する耐性が高くなっている。
【００１７】
カウンタ比較回路２０９には、信号処理回路２０２の２つのカウンタ２０２ａ、２０２ｂからのカウント値と、出力信号カウンタ２０８の２つのカウンタ２０８ａ、２０８ｂからのカウント値がそれぞれ入力される。カウンタ比較回路２０９は、入力された２つのカウント値を比較し、カウント値が異なる場合に信号処理回路２０２およびメモリ制御回路２０３にリセット信号を出力する。
【００１８】
静電が発生し、画像に障害が起こるような状態になったときには、信号処理回路２０２のカウンタ値に狂いが生じる。一方、出力信号カウンタ２０８は、静電に対する耐性が高いため、静電の影響を受けず、そのカウント値は正常なままとなる。これにより、２つのカウンタ値が異なるものとなるため、カウンタ比較器２０９からリセット信号が出力され、信号処理回路２０２およびメモリ制御回路２０３の動作が初期化される。
【００１９】
こうして、信号処理回路２０２とメモリ制御回路２０３との間の同期が回復し、メモリ２０４に対する画像データの書込みが正常化され、液晶表示器２０７において画像が正常な状態で表示されるようになる。
【００２０】
しかしながら、図９のような構成とした場合には、信号処理回路２０２に、カウンタ値を外部に取り出せるような構成を付加する必要が生じる。また、別途、出力信号カウンタ２０８のような高速カウント処理を行う回路が必要となる。結果、これらの構成を実現するために、コストの増加を招く惧れがある。また、新たな回路の配置のために既存の回路の配置が大きく制限される惧れもある。
【００２１】
本発明は、このような課題に鑑みてなされたものであり、簡易な構成にて、メモリ書き込み動作の異常に基づく画像障害を解消させることができるカメラ機能付き機器を提供することを目的とする。
【課題を解決するための手段】
【００２２】
本発明のカメラ機能付き機器は、撮像素子で捉えた撮像画面に基づく画像データを垂直同期信号および水平同期信号とともに出力するカメラ部と、前記画像データをメモリに書き込むデータ書込部と、前記データ書込部によって一つの撮像画面に対するデータ書込みが完了したタイミングと前記垂直同期信号の状態とに基づいて、前記データ書込部による前記データ書込みをリセットするリセット部と、を備えたことを特徴とする。
【００２３】
たとえば、前記リセット部は、前記データ書込みが完了したときに前記垂直同期信号がアクティブな場合に、前記データ書込部による前記データ書込みをリセットする。
【００２４】
本発明によれば、データ書込部によって一つの撮像画面に対するデータ書込みが完了したタイミングと前記垂直同期信号の状態とに基づいて、データ書込部によるデータ書込みに異常が生じたかが判別される。そして、この判別結果に基づいて、データ書込部によるデータ書込みがリセットされる。
【００２５】
本発明によれば、データ書込み完了時の垂直同期信号の状態を監視する構成が付加されるのみであるため、図９の構成例のように大がかりな回路構成は必要なく、大幅なコスト上昇を招くこともない。また、通常の回路構成において適宜取得可能な書き込み完了を示す信号を用いて異常判別を行うことができるため、図９の構成例のように、別途、カウンタ値を取得するような構成を付加する必要もない。このように、本発明によれば、簡素な構成にて、円滑かつ適正に、データ書込部の動作を正常化することができる。
【００２６】
さらに、本発明のカメラ機能付き機器において、前記リセット部は、前記画像データに対するズーム処理が行われた場合、前記データ書込みが完了してから前記ズーム処理に応じたディレイ時間が経過したときの前記垂直同期信号の状態に基づいて、前記データ書込部による前記データ書込みをリセットするような構成とすることができる。こうすると、ズーム動作の実行時にも、メモリに対するデータ書き込みの異常を判定することができる。
【００２７】
さらに、本発明のカメラ機能付き機器において、前記データ書込部は、前記垂直同期信号および水平同期信号がアクティブな期間に出力された前記画像データを取り込む信号処理部と、前記信号処理部から出力された前記画像データを前記メモリに書き込むメモリ制御部とを含むような構成とすることができる。
【００２８】
この構成では、信号処理部からの画像データの出力タイミングとメモリ制御部によるデータ書込みタイミングとの間で同期が取れなくなることにより、異常なデータ書込みが生じても、これを解消して正常な状態に復帰させることができる。
【発明の効果】
【００２９】
以上のとおり、本発明によれば、簡易な構成にて、メモリ書き込み動作の異常に基づく画像障害を解消させることができるカメラ機能付き機器を提供できる。
【００３０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００３１】
以下、本発明の実施の形態につき図面を参照して説明する。図１は携帯電話機の外観構成を示す図であり、同図（ａ）は、第１キャビネット１に対して第２キャビネット２をほぼ鉛直に立てた状態を示す側面図、同図（ｂ）は同じ状態での背面図である。
【００３２】
携帯電話機は、第１キャビネット１と第２キャビネット２を備えている。第１キャビネット１の正面側には、キー操作部１１が設けられている。キー操作部１１には、各種の機能モード（カメラ撮影モード、メール送受信モード、インターネットモード）への切替えキー、通話開始キー、通話終了キー、番号・文字入力キーなどの各種キーが配されている。
【００３３】
キー操作部１１の背後には、キー操作部１１に光を供給するバックライト装置１２が配されている。キー操作部１１の主要なキーは、キーに付された表示の部分が透光性を有するよう構成されており、バックライト装置１２で照らされることにより表示が光る。これにより、ユーザは、周囲が暗くてもキーに付された表示を見ることができる。
【００３４】
第２キャビネット２の正面側には、縦長の矩形状を有するメイン液晶表示器２１が配されている。メイン液晶表示器２１は、液晶パネル２１ａと、液晶パネル２１ａの光源となるバックライト装置２１ｂで構成されている。液晶パネル２１ａの表示画面が第２キャビネット２の正面に臨んでいる。
【００３５】
第２キャビネット２の背面側には、サブ液晶表示器２２が配されている。サブ液晶表示器２２は、液晶パネル２２ａと、液晶パネル２２ａの光源となるバックライト装置２２ｂで構成されている。液晶パネル２２ａの表示画面が第２キャビネット２の背面に臨んでいる。サブ液晶表示器２２は、メイン液晶表示器２１よりも小さなサイズであり、横長の矩形状を有している。
【００３６】
また、第２キャビネット２の内部には、カメラモジュール２３が配されており、第２キャビネット２の背面には、カメラモジュール２３に対応するレンズ窓２４が設けられている。このレンズ窓２４から被写体の像がカメラモジュール２３に取り込まれる。
【００３７】
第２キャビネット２は、ヒンジ部３によって、第１キャビネット１に対し回動可能に連結されている。ヒンジ部３は、第２キャビネット２の連結側端部から左右に延びる一対の回転軸３１と、第１キャビネット１の連結側端部に形成され、回転軸３１を受ける一対の軸受部３２によって構成されている。
【００３８】
第１キャビネット１と第２キャビネット２は、メイン液晶表示器２１とキー操作部１１が向かい合った状態となるように折り畳まれる。よって、折り畳まれた状態（閉じた状態）では、メイン液晶表示器２１とキー操作部１１が外部から隠れた状態となる。
【００３９】
第２キャビネット２は、閉じた状態（図１（ａ）に一点鎖線で示す）から開き方向に回転されることにより、１８０度近くまで開くことができる。ヒンジ部３には、第２キャビネット２が最後まで開いた位置と、第１キャビネット１と第２キャビネット２とが略９０度となる位置（９０度よりやや大きい角度位置）にクリック感を持たせるよう、図示しないクリック機構が備えられている。第２キャビネット２が開くと、メイン液晶表示器２１とキー操作部１１が外部に露出する。
【００４０】
第１キャビネット１と第２キャビネット２には、第２キャビネット２の開閉を検出するための開閉検出部４が配されている。開閉検出部４は、第１キャビネット１側に設けられた閉センサ４１と、第２キャビネット２側に設けられた磁石４２によって構成されている。磁石４２は、第２キャビネット２のヒンジ部３近傍に配されており、閉センサ４１は、第２キャビネット２が完全に閉じたときに、磁石４２に近接する位置に配されている。
【００４１】
閉センサ４１は、たとえば、ＭＲセンサ（磁気抵抗素子）で構成され、磁石４２の磁力に反応して検出信号を出力する。第２キャビネット２が閉じた状態から開いた状態となると、閉センサ４１からオフ信号が出力される。反対に、第２キャビネット２が開いた状態から閉じた状態になると、閉センサ４１からオン信号が出力される。
【００４２】
図２は、携帯電話機に適用されたカメラ機能に係る回路構成を示す図である。
【００４３】
カメラ機能に係る回路構成として、上記カメラモジュール２３、信号処理回路１０１、メモリ制御回路１０２、メモリ１０３、メモリ制御回路１０４、液晶表示回路１０５、上記メイン液晶表示器２１および静電検出回路１０６が備えられている。
【００４４】
カメラモジュール２３、信号処理回路１０１、メモリ制御回路１０２、メモリ１０３、メモリ制御回路１０４、液晶表示回路１０５、メイン液晶表示器２１の構成は、それぞれ、図７で説明したカメラモジュール２０１、信号処理回路２０２、メモリ制御回路２０３、メモリ２０４、メモリ制御回路２０５、液晶表示回路２０６、液晶表示器２０７と同様である。
【００４５】
即ち、撮像素子２３ａからの画像データは、タイミングジェネレータ２３ｂで生成された同期クロック、垂直同期信号および水平同期信号とともに、カメラモジュール２３から出力され、信号処理回路１０１は、この画像データを取り込んで、メモリ制御回路１０２に出力する。メモリ制御回路１０２は、入力された画像データを、メモリ１０３の書込エリアに書き込む。そして、アドレスカウンタ１０２ａによって一つの撮像画面に対するデータ書込みが完了したことを検出すると書込みを終了し、メモリ制御回路１０４へ書込み完了信号を出力する。メモリ制御回路１０４は、書込み完了信号を受け取ると、メモリ１０３から画像データを読み出して、液晶表示回路１０５へ出力する。液晶表示回路１０５は、画像データに従ってメイン液晶表示器２１を駆動し、その画像データに対応する画像をメイン液晶表示器２１に表示させる。
【００４６】
さらに、本実施の形態では、カメラモジュール２３で捉えた画像に対するズーム操作を行うことができる。
【００４７】
ユーザによって、所定のズーム操作がなされると、ズーム処理として、図３（ａ）に示すように、カメラモジュール２３から出力された画像データの一部が、ズーム用の画像データとしてメモリ１０３に書き込まれる。
【００４８】
メモリ１０３には、同図（ｂ）に示すようなズーム用テーブルが記憶されている。ズーム用テーブルには、ズーム操作のステップ（ズームの度合い）に応じて、書込み開始点のまでの水平方向の画素数ａ、水平方向の書込み画素数ｘ、書込み開始点までの垂直方向のライン数ｂ、垂直方向の書込みライン数ｙが設定されている。
【００４９】
ズーム操作が行われると、信号処理回路１０１は、垂直カウンタ１０１ｂのカウンタ値がライン数ｂとなり、水平カウンタ１０１ａのカウンタ値が画素数ａなった時点Ｐから画像データの取り込みを開始し、その後、垂直カウンタ１０１ｂのカウンタ値がライン数ｂにライン数ｙを加えた値となり、水平カウンタ１０１ａのカウンタ値が画素数ａに画素数ｘを加えた値になった時点Ｑで画像データの取り込みを完了する。こうして、取り込まれたズーム用の画像データが、メモリ制御回路１０２によってメモリ１０３に書き込まれる。
【００５０】
このズーム用の画像データが、メモリ制御回路１０４によってメモリ１０３から読み出され、この画像データに対する画像が液晶表示回路１０５によって、ズームがないときの画像と同じサイズでメイン液晶表示器２１に表示されることにより、メイン液晶表示器２１にズームアップされた画像が表示される。
【００５１】
静電検出回路１０６には、カメラモジュール２３から垂直同期信号が入力されるとともに、メモリ制御回路１０２から書込み完了信号が入力される。また、静電検出回路１０６は、これら垂直同期信号および書込み完了信号に基づいて、信号処理回路１０１およびメモリ制御回路１０２に対してリセット信号を出力する。
【００５２】
図４は、静電検出回路の構成を示す図である。同図（ａ）は、ズーム機能に対応した静電検出回路の構成を示し、同図（ｂ）は、ズーム機能がない場合に適用できる静電回路の変更例を示す。
【００５３】
同図（ａ）に示すように、静電検出回路１０６は、アンド回路１０６ａと、ディレイタイマー１０６ｂと、ディレイ時間演算回路１０６ｃで構成されている。
【００５４】
アンド回路１０６ａには、カメラモジュール２３からの垂直同期信号とディレイタイマー１０ｂからのディレイ信号が入力される。ディレイタイマー１０６ｂには、書込み完了信号が入力される。書込み完了信号が入力されると、ディレイタイマー１０６ｂは、ディレイ時間演算回路１０６ｃによって設定されたディレイ時間ＤＴが経過した後にディレイ信号を出力する。
【００５５】
ディレイ時間演算回路１０６ｃには、ズーム操作に応じた上記画素数ａ、ｘおよびライン数ｂ、ｙの値が入力される。ディレイ時間演算回路１０６ｃは、これらの値からディレイ時間ＤＴを算出してディレイタイマー１０６ｂにセットする。
【００５６】
ディレイ時間ＤＴは、図３（ｃ）に示すように、ズーム処理を行ったときの画像データの書込み完了時点Ｑからズーム処理がないときの画像データの書込み完了時点Ｒまでの時間であり、以下の式から算出される。
【００５７】
ＤＴ＝［｛Ｘ−（ａ＋ｘ）｝＊Ｔｐ＋Ｂ］＋［｛Ｙ−（ｂ＋ｙ）｝＊Ｔｖ］
Ｘ：水平方向の全画素数
Ｙ：垂直方向の全ライン数
Ｔｐ：同期クロックの周期
Ｔｖ：水平同期信号の周期
Ｂ：水平同期信号のブランク期間
【００５８】
なお、ズーム機能を有しない携帯電話機に適用する場合には、ディレイ時間を生じさせる必要がないため、図４（ｂ）に示すように、ディレイタイマー１０６ｂとディレイ時間演算回路１０６ｃとが不要となり、アンド回路１０６ａのみで静電検出回路１０６を構成することができる。
【００５９】
図５および図６は、静電検出回路１０６による異常検出動作について説明するための図である。図５（ａ）、（ｂ）は、それぞれ、ズーム操作がない場合における、正常な画像データの書込みが行われた時と異常な画像データの書込みが行われた時の各信号の出力状態を示す図であり、図５（ｃ）は、異常な画像データの書込みが行われた時のメモリへの画像データの書込み状態を示す図である。また、図６（ａ）、（ｂ）は、それぞれ、ズーム操作があった場合における、正常な画像データの書込みが行われた時と異常な画像データの書込みが行われた時の各信号の出力状態を示す図である。
【００６０】
図５（ａ）に示すように、正常時には、垂直同期信号がアクティブな期間に、信号処理回路１０１から一つの撮像画面に基づく全画像データが出力されるため、垂直同期信号のアクティブ期間に画像データが順次メモリ１０３に書き込まれる。そして、この垂直同期信号が非アクティブになると、その後まもなくデータ書込みが完了して、メモリ制御回路１０２から書込み完了信号が出力される。
【００６１】
ズーム操作がなされてない場合には、ディレイタイマー１０６ｂのディレイ時間ＤＴはゼロにセットされるため、ディレイタイマー１０６ｂからは、書込み完了信号の入力に応じて直ちにディレイ信号が出力される。図示の如く、データ書き込み動作が正常である場合には、ディレイ信号が出力されたときに、垂直同期信号は非アクティブであるため、アンド回路１０６ａからはリセット信号が出力されない。
【００６２】
さて、カメラ機能の起動中に静電が発生すると、たとえば、静電によるノイズが垂直同期信号に載り、これによって垂直同期信号の出力が大きく乱れる場合がある。たとえば、図５（ｂ）に示すように、静電によるノイズの影響で、垂直同期信号が立下り、一時的に非アクティブになると、信号処理回路１０１は、その時に出力していた画像データＡの出力を中止する。これにより、その時点から垂直同期信号が正常に非アクティブになるまでに本来出力されるべきであった画像データが出力されなくなる。一方、図５（ｃ）に示すように、メモリ制御回路１０２は、画像データＡが来なくなると、メモリ１０３の書込エリアへの書込みを一時中断し、次の画像データを待つ状態となる。
【００６３】
こうして、次に、垂直同期信号がアクティブになり、信号処理回路１０１から新たな画像データＢが出力されると、メモリ制御回路１０２は、メモリ１０３の書込エリアにおいて、画像データＡの続きのアドレス位置から画像データＢを書き込み始める。そして、メモリ制御回路１０２は、残りの書込エリアに画像データＢを書き込むと、一つの撮像画面に対するデータ書込みが完了したとして、書込み完了信号を出力する。
【００６４】
こうして、メモリ１０３への異常なデータ書込みがなされると、書込み完了信号が、垂直同期信号のアクティブな期間に出力されることになる。この場合、ディレイタイマー１０６ｂからディレイ信号が出力されたとき、垂直同期信号がアクティブとなっているので、アンド回路１０６ａからは、信号処理回路１０１およびメモリ制御回路１０２に対し、リセット信号が出力される。
【００６５】
信号制御回路１０１およびメモリ制御回路１０２にリセット信号が入力されると、両者の動作がリセット、即ち、初期化される。こうして、信号処理回路１０１は、画像データＢの出力を中止し、メモリ制御回路１０２も、画像データＢの書込みを中止する。そして、次に垂直同期信号がアクティブになると、信号処理回路１０１は新たな画像データを出力し、メモリ制御回路１０２は、この新たな画像データをメモリ１０３の書込エリアの最初のアドレス位置から書き込み始める。
【００６６】
このようにして、静電によるノイズによって、異常なデータ書込みが生じても、静電検出回路１０６がこれを検出し、信号処理回路１０１およびメモリ制御回路１０２に対しリセット信号を出力することにより、直ちに正常なデータ書込み状態に復帰させることができる。
【００６７】
次に、ズーム操作がなされている場合には、全画像データの一部（ズーム用の画像データ）が信号処理回路１０１から出力され、これがメモリ１０３に書き込まれるため、図６（ａ）に示すように、正常な場合にも、垂直同期信号がアクティブな期間に、一つの撮像画面に対する書込みが完了してメモリ制御回路１０２から書込み完了信号が出力される。しかしこの場合、ディレイタイマー１０６ｂには、ズーム操作に応じたディレイ時間ＤＴが設定さているため、ディレイタイマー１０６ｂからは、このディレイ時間ＤＴが経過した後にディレイ信号が出力される。そして、ディレイ信号が出力されたときには、垂直同期信号が非アクティブとなっているので、アンド回路１０６ａからはリセット信号が出力されない。
【００６８】
一方、静電によるノイズの影響を受け、異常なデータ書込みが発生した場合には、図６（ｂ）に示すように、ディレイ時間ＤＴが経過してディレイ信号が出力されたとき、垂直同期信号はアクティブとなっているので、アンド回路１０６ａからリセット信号が出力される。これにより、信号処理回路１０１およびメモリ制御回路１０２の動作がリセットされる。
【００６９】
なお、静電発生によるノイズが、水平同期信号や同期クロックに載り、これらの信号に乱れが生じても、上記と同様に、信号処理回路１０１による画像データの出力タイミングとメモリ制御回路１０２によるデータ書込みタイミングとの同期が取れなくなり、異常なデータ書込みが発生する惧れがある。この場合にも、書込み完了信号に基づくディレイ信号が垂直同期信号のアクティブ期間に出力されることになり、静電検出回路１０６からのリセット信号によって、信号処理回路１０１およびメモリ制御回路１０２の動作がリセットされる。
【００７０】
以上、本実施の形態によれば、静電の発生によって異常なデータ書込みが生じても、直ちに正常なデータ書込み状態に復帰させることができる。よって、静電の発生により画像に障害が発生しても、直ちにこれを解消し、正常な状態に戻すことができる。
【００７１】
しかも、本実施の形態によれば、データ書込みが完了した情報と垂直同期信号の状態とに基づいて、信号処理回路１０１およびメモリ制御回路１０２にリセットを掛けるだけであり、簡易な構成にて、画像障害を解消させることができる。
【００７２】
さらに、本実施の形態によれば、ズーム操作が行われた場合には、データ書込みが完了してから、その時のズーム操作に応じたディレイ時間だけ待った後に、垂直同期信号の状態を見るようにしているので、ズーム操作に左右されることなく、静電によって生じる異常なデータの書込みを検出することができる。
【００７３】
以上、本実施の形態について説明したが、本発明は、上記実施の形態に限定されるものではなく、また、上記実施の形態も種々の変更が可能である。
【００７４】
たとえば、静電検出回路１０６を、携帯電話機の種々の機能を制御するＣＰＵ内部の演算回路やタイマーを用いて、ソフトウエアにより実現することもできる。この場合は、ＣＰＵに垂直同期信号と書込み完了信号とが入力され、これら２つの入力信号に基づいて、ＣＰＵが信号処理回路１０１およびメモリ制御回路１０２へリセット信号を出力するような構成となる。このようにすれば、新たな回路を一切追加する必要がなくなる。
【００７５】
また、上記では、静電による影響によってメモリ書き込みに異常が生じる場合を例に挙げて説明したが、本発明は、これ以外の要因によってメモリ書き込みに異常が生じた場合にも、適宜適用可能なものである。
【００７６】
さらに、上記実施の形態では、書込み完了信号がメモリ制御回路１０４に出力される構成とされているが、これに限らず、たとえば、書込み完了信号が、携帯電話機全体の制御を司る制御シーケンサ（マイコン等によるソフト制御を含む）に出力される構成とされても良い。この場合、書込み完了信号をトリガとして制御シーケンサから出力される制御信号によってメモリ制御回路１０４が起動することとなる。
【００７７】
さらに、上記実施の形態では、データ書込みの完了直後に出力される書込み完了信号と垂直同期信号の状態とに基づいて静電検出回路１０６からリセット信号が出力される構成とされているが、データ書込みの完了を示す完了信号が必ずしも書込み完了直後に出力される必要はない。要は、データ書込み完了に起因した完了信号が出力され、この信号と垂直同期信号とに基づいてリセット信号が出力される構成であればよい。なお、データ書込み完了から遅れて完了信号が出力される構成とされた場合には、それに応じて垂直同期信号を遅延して両者を比較する必要がある。
【００７８】
さらに、本発明のカメラ機能付き機器は、上記実施の形態のようなカメラ機能付きの携帯電話機に限られず、カメラ機能付きのＰＤＡ（Personal Digital Assistant）等であっても良い。
【００７９】
この他、本発明の実施の形態は、特許請求の範囲に示された技術的思想の範囲内において、適宜、種々の変更が可能である。
【図面の簡単な説明】
【００８０】
【図１】実施の形態に係る携帯電話機の外観構成を示す図
【図２】実施の形態に係る携帯電話機に適用されたカメラ機能に係る回路構成を示す図
【図３】実施の形態に係るズーム操作時の画像データの書込み動作およびズーム操作に応じて設定されるディレイ時間について説明するための図
【図４】実施の形態に係る静電検出回路の構成を示す図
【図５】実施の形態に係る静電検出回路による異常検出動作について説明するための図（ズーム操作なし）
【図６】実施の形態に係る静電検出回路による異常検出動作について説明するための図（ズーム操作あり）
【図７】従来のカメラ機能に係る回路構成の一例を示す図
【図８】カメラモジュールから出力信号について説明するための図
【図９】静電による画像障害を解消するためのカメラ機能に係る回路構成の一例を示す図
【符号の説明】
【００８１】
２３    カメラモジュール（カメラ部）
１０１  信号処理回路（信号処理部）
１０２  メモリ制御回路（メモリ制御部）
１０３  メモリ
１０６  静電検出回路（リセット部）
【図１】
2010045460.tif 000003
【図２】
2010045460.tif 000004
【図３】
2010045460.tif 000005
【図４】
2010045460.tif 000006
【図５】
2010045460.tif 000007
【図６】
2010045460.tif 000008
【図７】
2010045460.tif 000009
【図８】
2010045460.tif 000010
【図９】
2010045460.tif 000011